(57)【特許請求の範囲】
【請求項１】
第一の領域と第二の領域を有し、タッチ操作による入力が可能な表示手段と、
外部に設けられた複数の撮像手段によって撮影されている画像のうち、タッチ操作に応じて画像を選択し、選択した画像を前記表示手段に表示させる出力制御手段と、
前記表示手段によって表示された画像を撮影している撮像手段を判定する判定手段と、
前記判定手段によって判定された前記撮像手段に対して、記録又は本撮影の指示を行う指示手段と、
を備え、
前記出力制御手段は、前記表示手段の前記第一の領域でタッチ操作をされた場合、外部に設けられた複数の撮像手段によって撮影されている画像から当該タッチ操作に応じて選択した画像を前記表示手段に表示させ、
前記指示手段は、前記表示手段の前記第二の領域でタッチ操作をされた場合、当該タッチ操作に応じて選択された画像を撮影している前記撮像手段に対して、記録又は記録用の画像を撮影する本撮影の指示を行うことを特徴とする電子機器。
【請求項２】
前記出力制御手段は、前記表示手段が前記第一の領域において検出したタッチ操作に応じて、前記複数の撮像手段で撮影された画像を切り替えて表示するように前記表示手段を制御するし、
画像を選択する、
ことを特徴とする請求項１に記載の電子機器。
【請求項３】
前記表示手段では、前記撮像手段で撮影されている画像を逐次表示するライブビュー表示が行われると共に、前記記録又は本撮影の指示に基づいて、前記撮像手段において撮影が行われた場合には、当該記録又は本撮影の指示で撮影された画像を表示する、
ことを特徴とする請求項１又は２に記載の電子機器。
【請求項４】
前記表示手段は、前記第一の領域において検出したタッチ操作に応じて、１つの画像を前記撮像手段毎に切り替えて表示する、
ことを特徴とする請求項１乃至３の何れか１項に記載の電子機器。
【請求項５】
前記表示手段は、前記第一の領域において検出したタッチ操作に応じて、前記撮像手段毎に対応した複数の画像を同時に表示する、
ことを特徴とする請求項１乃至３の何れか１項に記載の電子機器。
【請求項６】
前記表示手段は、タッチ操作とは異なる第２の操作を検出し、
前記表示手段が前記第２の操作を検出した場合、前記出力制御手段は、前記複数の撮像手段によって撮影されている画像から前記第２の操作に応じて選択した画像を前記表示手段に表示させる
ことを特徴とする請求項1乃至５の何れか１項に記載の電子機器。
【請求項７】
前記指示手段は、前記表示手段が前記表示手段に表示されている画像の表示領域上でタッチ操作を検知した場合、前記表示領域上に表示されている画像に対応する前記撮像手段へ前記記録又は本撮影の指示を行うことを特徴とする請求項１乃至６の何れか１項に記載の電子機器。
【請求項８】
前記表示手段は、前記第二の領域で画像を表示する
ことを特徴とする請求項１乃至７の何れか１項に記載の電子機器。
【請求項９】
第一の領域と第二の領域を有し、タッチ操作による入力が可能であり、外部に設けられた複数の撮像手段によって撮影されている画像を表示する表示手段を備える電子機器で実行される制御方法であって、
前記表示手段の前記第一の領域でタッチ操作をされた場合、複数の撮像手段によって撮影されている画像のうち、当該タッチ操作に応じて画像を選択し、選択した画像を前記表示手段に表示させる出力制御ステップと、
前記表示手段の前記第二の領域でタッチ操作をされた場合、複数の撮像手段によって撮影されている画像のうち、当該タッチ操作に応じて選択された画像を撮影している撮像手段を判定する判定ステップと、
前記判定ステップによって判定された前記撮像手段に対して、記録又は記録用の画像を撮影する本撮影の指示を行う指示ステップと、
を含むことを特徴とする制御方法。
【請求項１０】
第一の領域と第二の領域を有し、タッチ操作による入力が可能であり、外部に設けられた複数の撮像手段によって撮影されている画像を表示する表示手段を備える電子機器を制御するコンピュータを、
前記表示手段の前記第一の領域でタッチ操作をされた場合、複数の撮像手段によって撮影されている画像のうち、当該タッチ操作に応じて画像を選択し、選択した画像を前記表示手段に表示させる出力制御手段、
前記表示手段の前記第二の領域でタッチ操作をされた場合、複数の撮像手段によって撮影されている画像のうち、当該タッチ操作に応じて選択された画像を撮影している撮像手段を判定する判定手段、
前記判定手段によって判定された前記撮像手段に対して、記録又は記録用の画像を撮影する本撮影の指示を行う指示手段、
として機能させることを特徴とするプログラム。
【発明の詳細な説明】
【技術分野】
【０００１】
本発明は、電子機器、制御方法及びプログラムに関する。
【背景技術】
【０００２】
従来より、複数台のカメラを設置して動画を撮影し、その種々のカメラで撮影されている動画像表示を所定のジェスチャによる操作で切り替える映像監視システムがある（特許文献１参照）。
【先行技術文献】
【特許文献】
【０００３】
【特許文献１】特開２０１０−２５８８７８号公報
【発明の概要】
【発明が解決しようとする課題】
【０００４】
しかしながら、上述した特許文献１に記載の技術では、複数台のカメラを切り替えて、各々のカメラで撮影されている動画像を表示しているのみで、複数のカメラのうち、切り替えられたカメラに対して画像の撮影や記録をさせることができなかった。
【０００５】
本発明は、このような状況に鑑みてなされたものであり、複数の撮影系統のうち、ユーザが所望する撮影系統で画像の撮影や記録を行わせることを目的とする。
【課題を解決するための手段】
【０００６】
上記目的を達成するため、本発明の一態様の電子機器は、
第一の領域と第二の領域を有し、タッチ操作による入力が可能な表示手段と、
外部に設けられた複数の撮像手段によって撮影されている画像のうち、タッチ操作に応じて画像を選択し、選択した画像を前記表示手段に表示させる出力制御手段と、
前記表示手段によって表示された画像を撮影している撮像手段を判定する判定手段と、
前記判定手段によって判定された前記撮像手段に対して、記録又は本撮影の指示を行う指示手段と、
を備え、
前記出力制御手段は、前記表示手段の前記第一の領域でタッチ操作をされた場合、外部に設けられた複数の撮像手段によって撮影されている画像から当該タッチ操作に応じて選択した画像を前記表示手段に表示させ、
前記指示手段は、前記表示手段の前記第二の領域でタッチ操作をされた場合、当該タッチ操作に応じて選択された画像を撮影している前記撮像手段に対して、記録又は記録用の画像を撮影する本撮影の指示を行うことを特徴としている。
【発明の効果】
【０００７】
本発明によれば、複数の撮影系統のうち、ユーザが所望する撮影系統で画像の撮影や記録を行わせることができる。
【図面の簡単な説明】
【０００８】
【図１】本発明の一実施形態に係る表示装置を説明するための概念図である。
【図２】本発明の一実施形態に係る表示装置のハードウェアの構成を示すブロック図である。
【図３】シングル表示の表示例を示す模式図である。
【図４】マルチ表示の表示例を示す模式図である。
【図５】マルチ表示における撮影指示を説明するための模式図である。
【図６】マルチ表示の他の例を示す模式図である。
【図７】図２の表示装置の機能的構成のうち、表示撮影処理を実行するための機能的構成を示す機能ブロック図である。
【図８】図７の機能的構成を有する図２の表示装置が実行する表示撮影処理の流れを説明するフローチャートである。
【図９】図７の機能的構成を有する図２の表示装置が実行する表示撮影処理の流れを説明するフローチャートである。
【図１０】図７の機能的構成を有する図２の表示装置が実行する表示撮影処理の流れを説明するフローチャートである。
【図１１】他の表示画面におけるマルチ表示の他の例を示す模式図である。
【発明を実施するための形態】
【０００９】
以下、本発明の実施形態について、図面を用いて説明する。
【００１０】
図１は、本発明の一実施形態に係る表示装置を説明するための概念図である。
本実施形態の表示装置１は、図１に示すように、タッチパネルによるタッチ入力機能と表示機能等を有する表示装置本体２と、撮像機能を有する複数の撮影ユニット３−１，３−２，３−３・・・からなる。
表示装置本体２と複数の撮影ユニット３とは、互いに無線通信によって接続されており、表示装置本体２から撮影ユニット３に対して撮影指示を出すことで、撮影ユニット３での撮影が行われる。撮影ユニット３において撮影された画像は、撮影指示を出した表示装置本体２に送られ、表示装置本体２で画面表示される。
【００１１】
図２は、本発明の一実施形態に係る表示装置１のハードウェアの構成を示すブロック図である。
表示装置１のうち、表示装置本体２は、例えば、タブレット等の携帯端末から構成され、撮影ユニット３は、例えば、デジタルカメラ等の撮影端末とから構成される。
【００１２】
表示装置１は、図２に示すように、表示装置本体２においてＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、バス１４と、入出力インターフェース１５と、撮像部１６と、入力部１７と、出力部１８と、記憶部１９と、通信部２０と、ドライブ２１と、撮影ユニット３と、を備えている。
【００１３】
ＣＰＵ１１は、ＲＯＭ１２に記録されているプログラム、又は、記憶部１９からＲＡＭ１３にロードされたプログラムに従って各種の処理を実行する。
【００１４】
ＲＡＭ１３には、ＣＰＵ１１が各種の処理を実行する上において必要なデータ等も適宜記憶される。
【００１５】
ＣＰＵ１１、ＲＯＭ１２及びＲＡＭ１３は、バス１４を介して相互に接続されている。このバス１４にはまた、入出力インターフェース１５も接続されている。入出力インターフェース１５には、撮像部１６、入力部１７、出力部１８、記憶部１９、通信部２０及びドライブ２１が接続されている。
【００１６】
撮像部１６は、図示はしないが、光学レンズ部と、イメージセンサと、を備えている。
【００１７】
光学レンズ部は、被写体を撮影するために、光を集光するレンズ、例えばフォーカスレンズやズームレンズ等で構成される。
フォーカスレンズは、イメージセンサの受光面に被写体像を結像させるレンズである。ズームレンズは、焦点距離を一定の範囲で自在に変化させるレンズである。
光学レンズ部にはまた、必要に応じて、焦点、露出、ホワイトバランス等の設定パラメータを調整する周辺回路が設けられる。
【００１８】
イメージセンサは、光電変換素子や、ＡＦＥ（Ａｎａｌｏｇ  Ｆｒｏｎｔ  Ｅｎｄ）等から構成される。
光電変換素子は、例えばＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）型の光電変換素子等から構成される。光電変換素子には、光学レンズ部から被写体像が入射される。そこで、光電変換素子は、被写体像を光電変換（撮像）して画像信号を一定時間蓄積し、蓄積した画像信号をアナログ信号としてＡＦＥに順次供給する。
ＡＦＥは、このアナログの画像信号に対して、Ａ／Ｄ（Ａｎａｌｏｇ／Ｄｉｇｉｔａｌ）変換処理等の各種信号処理を実行する。各種信号処理によって、ディジタル信号が生成され、撮像部１６の出力信号を画像として出力される。画像のデータは、ＣＰＵ１１や図示しない画像処理部等に適宜供給される。
【００１９】
入力部１７は、指等の接触を検知して、ユーザの指示操作に応じて各種情報を入力する。
【００２０】
出力部１８は、ディスプレイやスピーカ等で構成され、画像や音声を出力する。
なお、入力部１７は、出力部１８に重畳的に配置されてタッチパネルを構成する。
【００２１】
記憶部１９は、ハードディスク或いはＤＲＡＭ（Ｄｙｎａｍｉｃ  Ｒａｎｄｏｍ  Ａｃｃｅｓｓ  Ｍｅｍｏｒｙ）等で構成され、各種画像のデータを記憶する。
【００２２】
通信部２０は、インターネットを含むネットワークを介して他の装置（図示せず）との間で行う通信を制御する。また、通信部２０は、表示装置本体２と撮影ユニット３とを接続して、撮影指示や画像等をやり取り可能にＢｌｕｅｔｏｏｔｈ（登録商標）等の近距離無線通信が可能に構成される。
【００２３】
ドライブ２１には、磁気ディスク、光ディスク、光磁気ディスク、或いは半導体メモリ等よりなる、リムーバブルメディア３１が適宜装着される。ドライブ２１によってリムーバブルメディア３１から読み出されたプログラムは、必要に応じて記憶部１９にインストールされる。また、リムーバブルメディア３１は、記憶部１９に記憶されている画像のデータ等の各種データも、記憶部１９と同様に記憶することができる。
【００２４】
撮影ユニット３は、上述した表示装置本体２の撮像部１６と、記憶部１９と、通信部２０に相当するハードウェアで構成され、撮像機能と記憶機能と通信機能を有する。即ち、撮影ユニット３は、表示装置本体２と無線通信で接続し、表示装置本体２からの撮影指示を受信して、撮影を行って、画像を表示装置本体２に送信する。
【００２５】
このように構成される表示装置１では、撮影ユニット３で撮影された画像を表示装置本体２で表示する際に、特定の撮影ユニット３で撮影された画像を表示する機能を有する。また、表示装置１では、特定の撮影ユニット３に対して撮影指示を送信する機能を有する。
【００２６】
表示装置１では、表示装置本体２に対する直感的な操作で、表示装置本体２での画像の切り替え表示と、撮影ユニット３での撮影指示を行うことができる。
本実施形態においては、撮影ユニット３の各々は、識別可能に構成され、序列によって管理されており、表示装置本体２において順番に対応する操作を行うことで、直感的対応する撮影ユニット３への撮影指示と、画像の表示を行うことができる。
具体的には、例えば、撮影ユニット３−１が序列１番、撮影ユニット３−２が序列２番、撮影ユニット３−３が序列３番・・・という序列で管理される。
【００２７】
また、本実施形態の表示装置１では、表示機能として、１つの画像を表示するシングル表示と、複数の画像を表示するマルチ表示を行うことができる。シングル表示にするかマルチ表示にするかの選択は、所定の設定画面等で予め行われるようにしてもよい。
【００２８】
図３は、シングル表示の表示例を示す模式図である。なお、本実施形態の入力部１７における操作領域は、図３（ａ）に示すように、「ライブビューエリア」と、「切替エリア」とに分けられる。ライブビューエリアは、画面の中央にあり、ライブビュー画像や撮影指示の結果、撮影された画像（以下、「本撮影画像」という。）が表示され、撮影指示操作等を行える領域である。これに対して、切替エリアは、ライブビューエリアを挟んだ両側の２カ所の領域であり、ライブビューエリアに表示する画像を切り替える操作を行える領域である。
【００２９】
「シングル表示」とは、図３（ｂ）に示すように、画面に１枚の画像を表示する表示方法であり、画面をタッチして横に指を移動させて弾く操作（以下、「フリック操作」という。）を行うことにより、画像を切り替えることができる。
【００３０】
本実施形態のシングル表示では、切替エリアをタッチした指の本数に対応する序列の撮影ユニット３のライブビュー画像を表示する。例えば、４本の指でタッチした場合には、序列４番の撮影ユニット３のライブビュー画像が表示される。
【００３１】
また、シングル表示では、序列１番の撮影ユニット３−１からの画像が表示されている場合に、エリアに関わらず、例えば、左から右へのフリック操作を行うと、次の序列２番の撮影ユニット３−２からのライブビュー画像が表示される。さらにフリック操作を続けることで、序列に従って、序列３番の撮影ユニット３−３、４番の撮影ユニット３−４、５番の撮影ユニット３−５・・・のライブビュー画像が切り替えられて表示される。そして、序列番号が最後の撮影ユニット３―ｎのライブビュー画像が表示された状態でフリック操作を行うと、最初の序列１番の撮影ユニット３−１からのライブビュー画像が切り替えられて表示される。また、逆に右から左にフリック操作を行うと、序列番号を遡った撮影ユニット３のライブビュー画像が切り替えられて表示される。
【００３２】
また、シングル表示では、表示されるライブビュー画像をタッチしてからすぐに離すタップ操作をすることで、表示されている画像を送信する撮影ユニット３において撮影が行われる。撮影が行われた場合には、撮影された画像が画面に表示される。
【００３３】
図４は、マルチ表示の表示例を示す模式図である。
「マルチ表示」とは、図４に示すように、画面に複数枚の画像を同時に表示する表示方法であり、画面をタッチした指の数に対応した数の画像を表示することができる。
【００３４】
本実施形態のマルチ表示では、切替エリアにおいてタッチした指の本数分の画像をライブビューエリアに表示する。具体的には、１本の指で切替エリアをタッチした場合には、序列１番の撮影ユニット３−１からのライブビュー画像がライブビューエリアに表示され、４本の指で切替エリアをタッチした場合には、序列１番〜４番の撮影ユニット３−１〜撮影ユニット３−４の計４枚のライブビュー画像がライブビューエリアに表示され、８本の指で切替エリアをタッチした場合には、序列１〜８番の撮影ユニット３−１〜撮影ユニット３−８の計８枚のライブビュー画像がライブビューエリアに表示される。なお、本数と序列を対応付けているが本数と表示枚数のみを対応付けて、序列に関係なくランダムに表示させるように構成してもよい。
このようにして、指の数と表示される画像の数が対応していることで、直感的な画像枚数の表示操作を行うことができる。
【００３５】
図５は、マルチ表示における撮影指示を説明するための模式図である。
マルチ表示では、図５に示すように、ライブビューエリアに表示されるライブビュー画像をタッチすると、ライブビュー画像を送信している撮影ユニット３に対して撮影指示が送信される。その結果、撮影された画像が撮影結果として所定の時間ライブビュー画像に代えて表示される。
また、マルチ表示では、同時に複数の画像に対応する撮影ユニット３に撮影を指示することができ、本実施形態においては、片手の最大本数である５本の指でタッチすると、表示される全ての画像に対応する撮影ユニット３に撮影を指示することができる。
【００３６】
図６は、マルチ表示の他の例を示す模式図である。
マルチ表示において、出力部１８を横向きにして使用した場合には、異なる表示や動作を行うように構成する。例えば、図６の例に示すように、画面の端をタッチすることで、タッチした指の本数に対応した枚数の画像が表示される。この場合、片手の最大の本数である５本の指でタッチした場合には、表示できる最大の画像の枚数で表示する。
【００３７】
図７は、図２の表示装置１の機能的構成のうち、表示撮影処理を実行するための機能的構成を示す機能ブロック図である。
表示撮影処理とは、表示装置本体２で撮影ユニット３のライブビュー画像を表示して、撮影対象となる撮影ユニット３を選択し、選択した撮影ユニット３に対して撮影指示を送って、撮影記録を行わせる一連の処理をいう。
【００３８】
表示撮影処理を実行する場合には、図７に示すように、ＣＰＵ１１において、通信制御部５１と、序列設定部５２と、出力制御部５３と、入力検出部５４と、入力情報取得部５５と、が機能する。
また、記憶部１９の一領域には、識別情報記憶部７１と、画像記憶部７２が設定される。
【００３９】
識別情報記憶部７１は、予め設定された序列番号と対応する撮影ユニット３の各々の識別情報と、設定された序列とが対応付けられて記憶される。
【００４０】
画像記憶部７２には、各撮影ユニット３で撮影された画像のデータが記憶される。
【００４１】
通信制御部５１は、撮影ユニット３との通信を行うように通信部２０を制御する。
具体的には、通信制御部５１は、撮影ユニット３の各々と接続するように通信部２０を制御する。また、通信制御部５１は、タップ操作／フリック操作に応じて対応する撮影ユニット３にライブビュー画像／記録用の本撮影画像を撮影する撮影指示（ライブビュー用の撮影指示、記録用の撮影指示である本撮影指示）を送信する。また、通信制御部５１は、撮影指示した撮影ユニット３からの撮影完了か否かの応答内容を確認する。
【００４２】
序列設定部５２は、例えば、ユーザの操作等によって、撮影ユニット３の各々の序列を決定して、識別情報に対応付けて識別情報記憶部７１に記憶させて設定する。なお、序列の設定は自動で行うように構成することもでき、この場合、例えば、撮影ユニット３の個体の識別番号を識別情報として取得して、当該識別番号順に序列を設定するように構成する。
【００４３】
出力制御部５３は、画像を表示するように出力部１８を制御したり、表示における設定を確認したりする。
具体的には、出力制御部５３は、入力情報取得部５５によって選択された序列Ｎ番の撮影ユニット３から受信したライブビュー画像や本撮影画像を表示するように出力部１８を制御する。また、出力制御部５３は、表示モード（シングル表示モードかマルチ表示モード）を判定する。また、出力制御部５３は、アイコン等を表示するように出力部１８を制御する。
【００４４】
入力検出部５４は、入力部１７に対するタッチ操作やフリック操作等の操作や画面において操作が行われた場所を検出する。
具体的には、入力検出部５４は、画面操作が行われたか否かを判定する。また、入力検出部５４は、画面におけるタップ位置を判定する。また、入力検出部５４による検出結果から、序列何番のライブビュー画像がタップされたかの情報を取得する。
【００４５】
入力情報取得部５５は、入力検出部５４による検出結果から入力部１７への操作に関する情報を取得する。そして、入力情報取得部５５は、取得した情報から画像に対応する撮影ユニット３を選択する。
具体的には、入力情報取得部５５は、入力検出部５４による検出結果から、切替エリアにおけるマルチタップの数を取得する。また、入力情報取得部５５は、入力検出部５４による検出結果から、識別情報記憶部７１を参照して、対応する序列何番の撮影ユニット３からのライブビュー画像がタップされたかの情報を取得する。そして、入力情報取得部５５は、取得した情報から画像に対応する撮影ユニット３を選択する。本実施形態においては、入力情報取得部５５は、マルチタップの数を取得して、取得した情報からシングル表示モードの場合の撮影ユニット３（数に応じた序列番号の撮影ユニット３）と、マルチ表示モードの場合の撮影ユニット３（数に応じた複数の撮影ユニット３）を選択する。
【００４６】
図８〜図１０は、図７の機能的構成を有する図２の表示装置１が実行する表示撮影処理の流れを説明するフローチャートである。
表示撮影処理は、ユーザによる入力部１７への表示撮影処理開始の操作により開始される。
【００４７】
ステップＳ１１において、通信制御部５１は、撮影ユニット３の各々と接続するように通信部２０を制御して、撮影ユニット３の各々と接続したか否かを判定する。接続に際して、通信制御部５１は、撮影ユニット３の識別情報も併せて取得するように通信部２０を制御する。
撮影ユニット３の各々と接続していない場合には、ステップＳ１１においてＮＯと判定されて、待機状態となる。
撮影ユニット３の各々と接続した場合には、ステップＳ１１においてＹＥＳと判定されて、処理はステップＳ１２に進む。
【００４８】
ステップＳ１２において、序列設定部５２は、例えば、ユーザの操作等によって、全ての撮影ユニット３における序列が設定されたか否かを判定する。
序列が設定されていない場合には、ステップＳ１２においてＮＯと判定されて、待機状態となる。
序列が設定された場合には、ステップＳ１２においてＹＥＳと判定されて、処理はステップＳ１３に進む。
【００４９】
ステップＳ１３において、通信制御部５１は、序列１番の撮影ユニット３にライブビュー画像を撮影し、逐次表示装置本体２に送信する撮影指示（ライブビュー撮影指示）を送信するように通信部２０を制御する。そして、出力制御部５３は、序列１番の撮影ユニット３から受信したライブビュー画像を表示するように出力部１８を制御する。
【００５０】
ステップＳ１４において、入力検出部５４は、画面操作が行われたか否かを判定する。その後、入力情報取得部５５によって、入力検出部５４によって検出された画面操作の情報が取得される。
画面操作がタップ操作であった場合には、ステップＳ１４において［タップ］と判定されて、処理はステップＳ１６に進む。ステップＳ１６以降の処理については後述する。
これに対して、画面操作がフリック操作であった場合には、ステップＳ１４において［フリック］と判定されて、処理はステップＳ１５に進む。
【００５１】
ステップＳ１５において、通信制御部５１は、フリック操作であるため、入力情報取得部５５によって対応する次の序列Ｎ番の撮影ユニット３が選択されて、ライブビュー画像を撮影し、逐次表示装置本体２に送信する撮影指示（ライブビュー撮影指示）を送信するように通信部２０を制御する。そして、出力制御部５３は、序列Ｎ番の撮影ユニット３から受信したライブビュー画像を切り替えて表示するように出力部１８を制御する。
【００５２】
ステップＳ１６において、入力検出部５４は、画面におけるタップ位置を判定する。
タップ位置がライブビューエリアの場合には、ステップＳ１６において［ライブビューエリア］と判定されて、処理はステップＳ２１に進む。ステップＳ２１以降の処理は後述する。
これに対して、タップ位置が切替エリアの場合には、ステップＳ１６において［切替エリア］と判定されて、処理はステップＳ１７に進む。
【００５３】
ステップＳ１７において、入力情報取得部５５は、入力検出部５４による検出結果から、切替エリアにおけるマルチタップの数を取得する。そして、入力情報取得部５５は、取得した情報から、シングル表示モード用かマルチ表示モード用の画像に対応する撮影ユニット３を選択する。
【００５４】
ステップＳ１８において、出力制御部５３は、表示モード（シングル表示モードかマルチ表示モード）を判定する。
表示モードがマルチ表示モードである場合には、ステップＳ１８において［マルチ］と判定されて、処理はステップＳ１９に進む。
【００５５】
ステップＳ１９において、通信制御部５１及び出力制御部５３は、マルチタップの数に応じた複数の撮影ユニット３のライブビュー画像を撮影し、逐次表示装置本体２に送信する撮影指示（ライブビュー撮影指示）を送信するように通信部２０を制御する。そして、出力制御部５３は、複数の撮影ユニット３から受信したライブビュー画像を同時に表示するように出力部１８を制御する。その後、処理はステップＳ１４に戻る。
【００５６】
これに対して、表示モードがシングル表示モードである場合には、ステップＳ１８において［シングル］と判定されて、処理はステップＳ２０に進む。
【００５７】
ステップＳ２０において、通信制御部５１及び出力制御部５３は、マルチタップの数に応じた序列番号に対応する撮影ユニット３のライブビュー画像を撮影し、逐次表示装置本体２に送信する撮影指示（ライブビュー撮影指示）を送信するように通信部２０を制御する。そして、出力制御部５３は、序列番号に対応する撮影ユニット３から受信したライブビュー画像を表示するように出力部１８を制御する。その後、処理はステップＳ１４に戻る。
【００５８】
ステップＳ２１において、入力情報取得部５５は、入力検出部５４による検出結果から、序列何番のライブビュー画像がタップされたかの情報を取得する。
【００５９】
ステップＳ２２において、通信制御部５１は、取得した序列番号の撮影ユニット３に撮影指示（本撮影指示）を送信するように通信部２０を制御する。その後、撮影指示を受けた撮影ユニット３において撮影処理が実行されて、本撮影画像等の撮影結果が応答内容として送信される。
【００６０】
ステップＳ２３において、通信制御部５１は、撮影指示した撮影ユニット３からの応答内容を確認する。
応答内容が撮影完了した旨であった場合には、ステップＳ２３において［撮影ＯＫ］と判定されて、処理はステップＳ２４に進む。
【００６１】
ステップＳ２４において、出力制御部５３は、ライブビュー画像と共に、撮影が完了した旨を示す「ＯＫアイコン」を表示するように出力部１８を制御する。その後、出力制御部５３は、受信した本撮影画像を所定の時間表示するように出力部１８を制御する。尚、撮影処理が実行されて撮影された画像は、撮影指示を受けた撮影ユニット３に保存してもよいし、撮影ユニット３から表示装置本体２に送信されて表示装置本体２に保存してもよいし、撮影ユニット３に保存すると共に、撮影ユニット３から表示装置本体２に送信されて表示装置本体２に保存してもよい。
【００６２】
これに対して、応答内容が撮影できなかった旨であった場合には、ステップＳ２３において［撮影ＮＧ］と判定されて、処理はステップＳ２５に進む。
【００６３】
ステップＳ２５において、出力制御部５３は、ライブビュー画像と共に、撮影が行えなかった旨を示す「ＮＧアイコン」を表示するように出力部１８を制御する。
【００６４】
ステップＳ２６において、出力制御部５３は、アイコンの表示を消すように出力部１８を制御する。その後、処理はステップＳ１４に戻る。
【００６５】
したがって、表示装置１では、複数の撮影系統を切り替えて、ユーザが所望する撮影系統で所定の操作を行うことができる。
【００６６】
図１１は、他の表示画面におけるマルチ表示の他の例を示す模式図である。
図１１の例に示すように、表示装置１をリスト型のウェアラブル端末（例えば、スマートウォッチ等）で、タッチパネルの領域を円形形状に構成した場合には、画像を並列的に配置せずに、領域の中心から放射状に等分されるように配置する。リスト型のウェアラブル端末では、タッチパネルの領域は限られているが、このようにすれば、画像の表示領域へのタッチ操作を行って撮影指示をする場合に、他の画像の領域に触れてしまう等の誤操作を行う可能性が低くなる。また、円形形状の中心から放射状に均等に配置されているために、視認性も向上する。
【００６７】
以上のように構成される表示装置１は、出力部１８と、複数の撮影ユニット３と、入力情報取得部５５と、通信制御部５１と、を備える。
出力部１８は、外部に設けられた複数の撮影ユニット３によって撮影されている画像を表示する。
入力情報取得部５５は、出力部１８によって表示される画像のうち、任意の画像を、例えば、入力部１７に対する操作から選択する。
通信制御部５１は、入力情報取得部５５によって選択された画像を撮影している撮影ユニット３を判定する。また、通信制御部５１は、判定された撮影ユニット３に対して、本撮影指示を行うように通信部２０を制御する。
これにより、表示装置１においては、複数の撮影系統のうち、ユーザが所望する撮影系統で撮影指示等の所定の操作を行うことができる。
【００６８】
表示装置１は、出力制御部５３をさらに有する。
出力制御部５３は、複数の撮影ユニット３で撮影された画像を切り替えて表示するように出力部１８を制御する。
また、入力情報取得部５５は、出力制御部５３により画像が切り替えられることにより画像を選択する。
これにより、表示装置１においては、複数の撮影系統を切り替えて、ユーザが所望する撮影系統で撮影指示等の所定の操作を行うことができる。
【００６９】
出力部１８では、撮影ユニット３で撮影されている画像を逐次表示するライブビュー表示が行われると共に、本撮影指示に基づいて、撮影ユニット３において撮影が行われた場合には、当該本撮影指示で撮影された画像を表示する。
これにより、表示装置１においては、ユーザに複数の撮影ユニット３からの現在の撮影状況を知らせることができ、撮影指示があった場合には、撮影した結果を確認させることができる。
【００７０】
出力部１８は、１つの画像を撮影ユニット３毎に切り替えて表示する。
これにより、表示装置１においては、複数の撮影系統を切り替えて、ユーザが所望する撮影系統での撮影結果を切り替えて表示させることができる。
【００７１】
出力部１８は、撮影ユニット３毎に対応した複数の画像を同時に表示する。
これにより、表示装置１においては、複数の撮影系統で撮影された画像を同時に表示させることができる。
【００７２】
出力部１８は、タッチ操作による入力が可能なタッチパネルとして構成される。
これにより、表示装置１においては、表示される画像を見ながら、対象となる表示に対して直感的な操作を行うことができる。
【００７３】
また、表示装置１は、入力検出手段を備える。
入力検出手段は、出力部１８に表示されている画像を選択する第１の操作と、出力部１８に表示されている画像に対応する撮影ユニット３へ撮影指示を行わせる第２の操作を検出する。
これにより、表示装置１においては、例えば、ジェスチャの異なる操作で、画像の切り替えと、撮影指示を行うことができるために、簡単かつ直感的に操作を行うことができる。
【００７４】
なお、本発明は、上述の実施形態に限定されるものではなく、本発明の目的を達成できる範囲での変形、改良等は本発明に含まれるものである。
【００７５】
上述の実施形態では、表示装置１を構成する撮影ユニット３に撮影機能を備えるように構成したがこれに限られず、表示装置１によって外部の撮影機能を有する装置を制御する制御システムのように構成してもよい。
【００７６】
また、上述の実施形態では、ライブビュー撮影指示によってライブビュー画像の撮影が行われ、本撮影指示によって本撮影画像が撮影され表示装置本体２と撮影ユニット３のいずれか又は両方に撮影画像が保存されるように構成したが、表示したライブビュー画像を表示装置本体２と撮影ユニット３のいずれか又は両方に保存するように構成してもよい。
【００７７】
また、上述の実施形態では、序列を設定した撮影ユニット３において未撮影の状態の場合には、序列を飛ばして対応するように構成してもよいし、撮影ユニット３の識別番号等が表示される撮影ユニット３との対応を想起するようなイメージ画像を表示するように構成してもよい。当該イメージ画像をタッチ操作することで、ライブビュー撮影指示や本撮影指示を行うように構成してもよい。また、撮影ユニット３との接続が切断し、再度接続したような場合には、イメージ画像を表示したり、接続をトリガにしてライブビュー撮影指示を出してライブビュー画像を表示したり、切断前に取得した最後の画像を表示させたりして構成してもよい。
【００７８】
また、上述の実施形態では、マルチ表示の際に、例えば、フリック操作を行うことで、表示されている複数の画像を一括で切り替えるように構成してもよい。この場合、個別の画像に対してフリック操作を行って、画像の各々を別々に切り替えられるように構成してもよい。
【００７９】
また、上述の実施形態では、撮影ユニット３の撮影制御だけでなく、設定を変更できるように構成してもよい。例えば、動画／静止画の撮影、ノーマル撮影、ハイスピード撮影、タイムラプス撮影の撮影手法を設定で切り替えたりしてもよい。
この際、別途設定画面で設定を切り替えるようにしてもよいが、例えば、画像を所定時間タッチし続けることで、対応する撮影ユニット３の設定メニューを呼び出して画像上に表示させて、設定を変更するようにしてもよい。
【００８０】
また、上述の実施形態では、撮影ユニット３の撮影指示の制御だけでなく、その他の撮影制御を行うように構成してもよい。例えば、ズーム、ピント、ホワイトバランス等の調整を行うように構成してもよい。この場合、表示される画像をピンチイン／ピンチアウトすることで、ズームの調整を行ったり、画像の所定箇所をダブルタップすることで、対応する場所にピントを合わせたり、画像を切り替え方向（本実施形態においては、左右方向）とは異なる方向（例えば、上下）にフリック操作することで、ホワイトバランス等のパラメータ値を変更するように構成してもよい。
【００８１】
また、上述の実施形態では、撮影ユニット３をグループ化して、グループ全体を１度の操作で、動作させるように構成してもよい。また、撮影ユニット３の設定を変更する場合も、グループ単位で設定変更可能に構成してもよい。
この際、画面の表示の有無にかかわらず、グループ毎に設定、操作等を行うように構成してもよい。
また、グループは予め設定等で決定してもよいし、例えば、画像を同時に所定時間タップし続ける等でグループ化を行うように構成してもよい。グループ化した撮影ユニット３は、対応して表示される画像において、複数枚の画像が重なったように表示することで、何台の撮影ユニット３が同一グループにあるかを表示してもよいし、同一グループは色分けした枠を画像の周囲に設ける等で表示するように構成してもよい。
【００８２】
また、上述の実施形態では、本発明が適用される表示装置１は、表示装置本体２と複数の撮影ユニット３で構成され、表示装置本体２は、例えば、タブレット等の携帯端末となり、撮影ユニット３は、例えば、デジタルカメラ等の複数の撮影端末となる例として説明したが、特にこれに限定されない。
例えば、本発明は、表示撮影処理機能を有する電子機器一般に適用することができる。具体的には、例えば、本発明は、ノート型のパーソナルコンピュータ、プリンタ、テレビジョン受像機、ビデオカメラ、携帯型ナビゲーション装置、携帯電話機、スマートフォン、ポータブルゲーム機等に適用可能である。
【００８３】
上述した一連の処理は、ハードウェアにより実行させることもできるし、ソフトウェアにより実行させることもできる。
換言すると、図７の機能的構成は例示に過ぎず、特に限定されない。即ち、上述した一連の処理を全体として実行できる機能が表示装置１に備えられていれば足り、この機能を実現するためにどのような機能ブロックを用いるのかは特に図７の例に限定されない。
また、１つの機能ブロックは、ハードウェア単体で構成してもよいし、ソフトウェア単体で構成してもよいし、それらの組み合わせで構成してもよい。
【００８４】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【００８５】
このようなプログラムを含む記録媒体は、ユーザにプログラムを提供するために装置本体とは別に配布される図２のリムーバブルメディア３１により構成されるだけでなく、装置本体に予め組み込まれた状態でユーザに提供される記録媒体等で構成される。リムーバブルメディア３１は、例えば、磁気ディスク（フロッピディスクを含む）、光ディスク、又は光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ），Ｂｌｕ−ｒａｙ（登録商標）  Ｄｉｓｃ（ブルーレイディスク）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図２のＲＯＭ１２や、図２の記憶部１９に含まれるハードディスク等で構成される。
【００８６】
なお、本明細書において、記録媒体に記録されるプログラムを記述するステップは、その順序に沿って時系列的に行われる処理はもちろん、必ずしも時系列的に処理されなくとも、並列的或いは個別に実行される処理をも含むものである。
【００８７】
以上、本発明のいくつかの実施形態について説明したが、これらの実施形態は、例示に過ぎず、本発明の技術的範囲を限定するものではない。本発明はその他の様々な実施形態を取ることが可能であり、さらに、本発明の要旨を逸脱しない範囲で、省略や置換等種々の変更を行うことができる。これら実施形態やその変形は、本明細書等に記載された発明の範囲や要旨に含まれるとともに、特許請求の範囲に記載された発明とその均等の範囲に含まれる。
【００８８】
以下に、本願の出願当初の特許請求の範囲に記載された発明を付記する。
［付記１］
外部に設けられた複数の撮像手段によって撮影されている画像を表示する表示手段と、
前記表示手段によって表示される画像のうち、任意の画像を選択する選択手段と、
前記選択手段によって選択された画像を撮影している撮像手段を判定する判定手段と、
前記判定手段によって判定された前記撮像手段に対して、記録又は本撮影の指示を行う指示手段と、
を備えることを特徴とする電子機器。
［付記２］
前記複数の撮像手段で撮影された画像を切り替えて表示するように前記表示手段を制御する切替手段をさらに有し、
前記選択手段は、前記切替手段により画像が切り替えられることにより画像を選択する、
ことを特徴とする付記１に記載の電子機器。
［付記３］
前記表示手段では、前記撮像手段で撮影されている画像を逐次表示するライブビュー表示が行われると共に、前記記録又は本撮影の指示に基づいて、前記撮像手段において撮影が行われた場合には、当該記録又は本撮影の指示で撮影された画像を表示する、
ことを特徴とする付記１又は２に記載の電子機器。
［付記４］
前記表示手段は、１つの画像を前記撮像手段毎に切り替えて表示する、
ことを特徴とする付記２又は３に記載の電子機器。
［付記５］
前記表示手段は、前記撮像手段毎に対応した複数の画像を同時に表示する、
ことを特徴とする付記１乃至４の何れか１つに記載の電子機器。
［付記６］
前記表示手段は、タッチ操作による入力が可能なタッチパネルとして構成される、
をことを特徴とする付記１乃至５の何れか１つに記載の電子機器。
［付記７］
前記表示手段に表示されている画像を選択する第１の操作と、前記表示手段に表示されている画像に対応する前記撮像手段へ前記記録又は本撮影の指示を行わせる第２の操作を検出する入力検出手段を備える、
ことを特徴とする付記1乃至６の何れか１つに記載の電子機器。
［付記８］
前記表示手段に表示されている画像を選択すると同時に、選択された画像に対応する前記撮像手段へ前記記録又は本撮影の指示を行わせる操作を検出する入力検出手段を備える、
ことを特徴とする付記１乃至６の何れか１つに記載の電子機器。
［付記９］
外部に設けられた複数の撮像手段によって撮影されている画像を表示する表示手段を備える電子機器で実行される制御方法であって、
前記表示手段によって表示される画像のうち、任意の画像を選択する選択ステップと、
前記選択ステップによって選択された画像を撮影している撮像手段を判定する判定ステップと、
前記判定ステップによって判定された前記撮像手段に対して、記録又は本撮影の指示を行う指示ステップと、
を含むことを特徴とする制御方法。
［付記１０］
外部に設けられた複数の撮像手段によって撮影されている画像を表示する表示手段を備える電子機器を制御するコンピュータを、
前記表示手段によって表示される画像のうち、任意の画像を選択する選択手段、
前記選択手段によって選択された画像を撮影している撮像手段を判定する判定手段、
前記判定手段によって判定された前記撮像手段に対して、記録又は本撮影の指示を行う指示手段、
として機能させることを特徴とするプログラム。
【符号の説明】
【００８９】
１・・・表示装置，２・・・表示装置本体，３・・・撮影ユニット，１１・・・ＣＰＵ，１２・・・ＲＯＭ，１３・・・ＲＡＭ，１４・・・バス，１５・・・入出力インターフェース，１６・・・撮像部，１７・・・入力部，１８・・・出力部，１９・・・記憶部，２０・・・通信部，２１・・・ドライブ，３１・・・リムーバブルメディア，５１・・・通信制御部，５２・・・序列設定部，５３・・・出力制御部，５４・・・入力検出部，５５・・・入力情報取得部，７１・・・識別情報記憶部，７２・・・画像記憶部
【図１】
0006561724.tif 000002
【図２】
0006561724.tif 000003
【図３】
0006561724.tif 000004
【図４】
0006561724.tif 000005
【図５】
0006561724.tif 000006
【図６】
0006561724.tif 000007
【図７】
0006561724.tif 000008
【図８】
0006561724.tif 000009
【図９】
0006561724.tif 000010
【図１０】
0006561724.tif 000011
【図１１】
0006561724.tif 000012